【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
車両用の複合型熱交換器（１０）であって、
車両に設けられた空調装置を循環する冷媒と空気との間で熱交換を行うための空調用熱交換器（１００）と、
車両に設けられた冷却対象機器（１２，１３，１４）を通る冷却水と空気との間で熱交換を行うための冷却用熱交換器（２００）と、を備え、
前記空調用熱交換器は、空気の流れる方向に沿って上流側となる位置に配置される第１空調用熱交換部（１１０）と、空気の流れる方向に沿って下流側となる位置に配置される第２空調用熱交換部（１２０）と、を有し、
前記冷却用熱交換器の少なくとも一部及び前記第１空調用熱交換部が、空気の流れる方向に対して垂直な方向に並ぶように配置されており、
前記冷却用熱交換器は、空気の流れる方向に沿って上流側となる位置に配置される第１冷却用熱交換部（２１０）と、空気の流れる方向に沿って下流側となる位置に配置される第２冷却用熱交換部（２２０）と、を有し、
前記第１空調用熱交換部及び前記第１冷却用熱交換部が、空気の流れる方向に対して垂直な方向に並ぶように配置され、
前記第２空調用熱交換部及び前記第２冷却用熱交換部が、空気の流れる方向に対して垂直な方向に並ぶように配置されており、
冷媒が前記第２空調用熱交換部を通った後に前記第１空調用熱交換部を通るよう、前記空調用熱交換器が構成されており、
冷却水が前記第２冷却用熱交換部を通った後に前記第１冷却用熱交換部を通るよう、前記冷却用熱交換器が構成されており、
前記第１空調用熱交換部と前記第２空調用熱交換部との間を流れる冷媒と、前記第１冷却用熱交換部と前記第２冷却用熱交換部との間を流れる冷却水と、の間で熱交換を行うための補助熱交換部（７００ａ，９００）を更に備える複合型熱交換器。
【請求項２】
車両用の複合型熱交換器（１０）であって、
車両に設けられた空調装置を循環する冷媒と空気との間で熱交換を行うための空調用熱交換器（１００）と、
車両に設けられた冷却対象機器（１２，１３，１４）を通る冷却水と空気との間で熱交換を行うための冷却用熱交換器（２００）と、を備え、
前記空調用熱交換器は、空気の流れる方向に沿って上流側となる位置に配置される第１空調用熱交換部（１１０）と、空気の流れる方向に沿って下流側となる位置に配置される第２空調用熱交換部（１２０）と、を有し、
前記冷却用熱交換器の少なくとも一部及び前記第１空調用熱交換部が、空気の流れる方向に対して垂直な方向に並ぶように配置されており、
前記冷却用熱交換器は、空気の流れる方向に沿って上流側となる位置に配置される第１冷却用熱交換部（２１０）と、空気の流れる方向に沿って下流側となる位置に配置される第２冷却用熱交換部（２２０）と、を有し、
前記第１空調用熱交換部及び前記第１冷却用熱交換部が、空気の流れる方向に対して垂直な方向に並ぶように配置され、
前記第２空調用熱交換部及び前記第２冷却用熱交換部が、空気の流れる方向に対して垂直な方向に並ぶように配置されており、
冷媒が前記第２空調用熱交換部を通った後に前記第１空調用熱交換部を通るよう、前記空調用熱交換器が構成されており、
冷却水が前記第２冷却用熱交換部を通った後に前記第１冷却用熱交換部を通るよう、前記冷却用熱交換器が構成されており、
前記第２空調用熱交換部に供給される冷媒と、前記第１冷却用熱交換部と前記第２冷却用熱交換部との間を流れる冷却水と、の間で熱交換を行うための補助熱交換部（８００ａ）を更に備える複合型熱交換器。
【請求項３】
空気の流れる方向に沿って見たときにおいて、
前記第１空調用熱交換部の少なくとも一部が、前記第２空調用熱交換部と重なるように配置されている、請求項１又は２に記載の複合型熱交換器。
【請求項４】
空気の流れる方向に沿って見たときにおいて、
前記第１空調用熱交換部の少なくとも一部が、前記第２空調用熱交換部及び前記第２冷却用熱交換部のうち一方と重なるように配置されており、
前記第１冷却用熱交換部の少なくとも一部が、前記第２空調用熱交換部及び前記第２冷却用熱交換部のうち他方と重なるように配置されている、請求項１又は２に記載の複合型熱交換器。
【請求項５】
空気の流れる方向に沿って見たときにおいて、
前記第１空調用熱交換部の少なくとも一部が前記第２冷却用熱交換部と重なるように配置されており、
前記第１冷却用熱交換部の少なくとも一部が前記第２空調用熱交換部と重なるように配置されている、請求項４に記載の複合型熱交換器。
【請求項６】
前記第１空調用熱交換部は、前記第１冷却用熱交換部の下方側となる位置に配置されており、
前記第２空調用熱交換部は、前記第２冷却用熱交換部の上方側となる位置に配置されている、請求項５に記載の複合型熱交換器。
【請求項７】
前記第１空調用熱交換部、前記第２空調用熱交換部、前記第１冷却用熱交換部、及び前記第２冷却用熱交換部のうち、空気の流れる方向に沿って見たときに互いに重なっている部分のそれぞれにおいては、その内部を冷媒又は冷却水が流れる経路及び方向が互いに同一となっている、請求項４に記載の複合型熱交換器。
【請求項８】
前記第１空調用熱交換部、前記第２空調用熱交換部、前記第１冷却用熱交換部、及び前記第２冷却用熱交換部のうち、空気の流れる方向に沿って見たときに互いに重なっている２つの部分は、互いに固定されている、請求項４に記載の複合型熱交換器。
【請求項９】
前記第１空調用熱交換部、前記第２空調用熱交換部、前記第１冷却用熱交換部、及び前記第２冷却用熱交換部のそれぞれは、
冷媒又は冷却水が通る流路が内部に形成されたチューブ（３２０，４２０）と、
前記チューブの端部に接続され、冷媒又は冷却水が流入又は流出する一対のタンク（３１１，３１２，４１１，４１２）と、
隣り合う前記チューブの間に配置されたフィン（３３０，４３０）と、を有する熱交換器として構成されている、請求項４に記載の複合型熱交換器。
【請求項１０】
前記第１空調用熱交換部、前記第２空調用熱交換部、前記第１冷却用熱交換部、及び前記第２冷却用熱交換部のうち、空気の流れる方向に沿って見たときに互いに重なっている２つの部分では、前記フィン（３３０Ｂ）が共有されている、請求項９に記載の複合型熱交換器。
【請求項１１】
前記第１空調用熱交換部、前記第２空調用熱交換部、前記第１冷却用熱交換部、及び前記第２冷却用熱交換部がそれぞれ有する前記チューブは、その外形及び配置ピッチについては全て同じとなるように形成されている一方で、
それぞれの前記チューブに収容されたインナーフィン（３２２，３２２Ｂ）の形状については、少なくとも一部において他と異なっている、請求項９に記載の複合型熱交換器。
【請求項１２】
前記第１空調用熱交換部と前記第２空調用熱交換部との間は、冷媒の気液を分離するためのモジュレータタンク（７００）を介して接続されている、請求項１又は２に記載の複合型熱交換器。
【請求項１３】
前記第１冷却用熱交換部と前記第２冷却用熱交換部との間は、冷却水を貯えるための冷却水タンク（８００）を介して接続されている、請求項１又は２に記載の複合型熱交換器。
【手続補正２】
【補正対象書類名】明細書
【補正対象項目名】０００８
【補正方法】変更
【補正の内容】
【０００８】
本開示の一態様は、車両用の複合型熱交換器（１０）であって、車両に設けられた空調装置を循環する冷媒と空気との間で熱交換を行うための空調用熱交換器（１００）と、車両に設けられた冷却対象機器（１２，１３，１４）を通る冷却水と空気との間で熱交換を行うための冷却用熱交換器（２００）と、を備える。空調用熱交換器は、空気の流れる方向に沿って上流側となる位置に配置される第１空調用熱交換部（１１０）と、空気の流れる方向に沿って下流側となる位置に配置される第２空調用熱交換部（１２０）と、を有する。冷却用熱交換器の少なくとも一部及び第１空調用熱交換部が、空気の流れる方向に対して垂直な方向に並ぶように配置されている。冷却用熱交換器は、空気の流れる方向に沿って上流側となる位置に配置される第１冷却用熱交換部（２１０）と、空気の流れる方向に沿って下流側となる位置に配置される第２冷却用熱交換部（２２０）と、を有する。第１空調用熱交換部及び第１冷却用熱交換部が、空気の流れる方向に対して垂直な方向に並ぶように配置されている。第２空調用熱交換部及び第２冷却用熱交換部が、空気の流れる方向に対して垂直な方向に並ぶように配置されている。冷媒が第２空調用熱交換部を通った後に第１空調用熱交換部を通るよう、空調用熱交換器が構成されている。冷却水が第２冷却用熱交換部を通った後に第１冷却用熱交換部を通るよう、冷却用熱交換器が構成されている。この複合型熱交換器は、第１空調用熱交換部と第２空調用熱交換部との間を流れる冷媒と、第１冷却用熱交換部と第２冷却用熱交換部との間を流れる冷却水と、の間で熱交換を行うための補助熱交換部（７００ａ，９００）を更に備える。